(57)【要約】【課題】人の行動態様に応じて表示の点灯／不灯を制御することができる画像表示装置、画像表示方法、及びプログラムを提供する。【解決手段】分析機７１は、マイクロフォン５０から入力される音声信号を分析して、分析結果を判定機７２に出力する。判定機７２は、分析部７１から入力される分析結果に基づいて、周囲に人が存在しているか否かを検出する。そして、判定機７２は、この検出履歴に基づいて、電源シーケンスの作成及び更新を行う。シーケンス機７３は、電源シーケンスメモリ６０に格納されている電源シーケンスに従って、電源部１０から表示部３０への電源供給のオン／オフを制御する。【選択図】図１
2010286653.tif 000002
【特許請求の範囲】
【請求項１】
人の行動態様に応じて、時間帯毎の表示の点灯／不灯を示す表示情報を設定するための設定手段と、
前記設定手段により設定された表示情報に従って、表示の点灯／不灯を制御する制御手段と、
を備えることを特徴とする画像表示装置。
【請求項２】
周囲の音声に基づいて、人が存在しているか否かを検出する検出手段をさらに備え、
前記制御手段は、前記検出手段によって人が存在していることを検出した場合、前記表示を点灯する制御を行う、
ことを特徴とする請求項１に記載の画像表示装置。
【請求項３】
前記設定手段は、前記検出手段による検出の履歴に基づいて、前記表示を点灯／不灯する時間帯を判別して前記表示情報を設定する、
ことを特徴とする請求項２に記載の画像表示装置。
【請求項４】
前記制御手段は、前記表示を点灯する場合、所定の間隔毎に静止画を順次表示する制御を行う、
ことを特徴とする請求項１、２、又は３に記載の画像表示装置。
【請求項５】
前記静止画は、外部記録媒体に記録された静止画である、
ことを特徴とする請求項４に記載の画像表示装置。
【請求項６】
人の行動態様に応じて、時間帯毎の表示の点灯／不灯を示す表示情報を設定するための設定ステップと、
前記設定ステップにより設定された表示情報に従って、表示の点灯／不灯を制御する制御ステップと、
を備えることを特徴とする画像表示方法。
【請求項７】
コンピュータに、
人の行動態様に応じて、時間帯毎の表示の点灯／不灯を示す表示情報を設定するための設定手順と、
前記設定手順により設定された表示情報に従って、表示の点灯／不灯を制御する制御手順と、
を実行させるためのプログラム。
【発明の詳細な説明】
【技術分野】
【０００１】
本発明は、画像表示装置、画像表示方法、及びプログラムに関し、特に、人の行動態様に応じて表示の点灯／不灯を制御することができる画像表示装置、画像表示方法、及びプログラムに関する。
【背景技術】
【０００２】
デジタルフォトフレーム（Digital Photo Frame；ＤＰＦ）（なお、「フォトフレーム」は登録商標である）は、電子的な表示装置を用いてデジタルカメラなどで撮影された写真を表示するもので、これによれば、パーソナルコンピュータ及び表示装置を起動することなく手軽にデジタル写真を鑑賞することが可能となる。
【０００３】
かかるデジタルフォトフレームでは、周囲に人がいれば、人がいつでも写真を見ることができるように、その間常に電源がオンとなっていることが望ましい。その一方で、周囲に人がいないときには、誰も見ないので、消費電力の低減の観点から、その間電源がオフとなっていることが望ましい。
【０００４】
このようなデジタルフォトフレームの電源のオン／オフを自動的に行う方法としては、（１）明度センサを用い、部屋が明るくなったときに電源をオンにする一方で、暗くなったときに電源をオフにするものや、（２）デジタルカメラを搭載し、一定期間、人や顔が認識されたときに電源をオンにする一方で、人体や顔の接近が認識されないときに電源をオフにするもの、（３）ＶＴＲ（Video Tape Recorder）の予約のように一週間を時間単位で細かく分けて電源のオン／オフのタイミングを予め設定しておくものなどが知られている。
【０００５】
その他の方法としては、人体の接近を赤外線や、超音波、反射光などで認識すると、表示部の電源をオンにし、予め設定された時間（間隔）だけ表示状態を継続するものも知られている。
【先行技術文献】
【特許文献】
【０００６】
【特許文献１】特開２００８−２５０３１７号公報
【発明の概要】
【発明が解決しようとする課題】
【０００７】
しかしながら、人間が生活する際、部屋の明るさと人の有無との間には、ある程度の相関関係が認められるが、完全な相関関係までは認められない。例えば独身で生活している者の部屋などは、昼間明るいが無人になっていることもままある。このため、（１）の方法では、人がいないにも関わらず電源がオンになってしまうといった問題があった。
【０００８】
また、（２）の方法では、デジタルカメラで人の動きや顔を検出する必要があるため、デジタルフォトフレームが設置される環境によっては、デジタルカメラで撮られていることに対し、ユーザに不安感を与えてしまうといった問題があった。
【０００９】
さらに、（３）の方法では、細かな設定が可能である反面、設定が難しく、又設定したパターン以外対応できないといった問題があった。
【００１０】
そして、特許文献１に開示された技術では、一旦表示部の電源がオンになると、その後無人になっても、予め設定された時間が経過するまで表示状態が継続されてしまうといった問題があった。
【００１１】
本発明は、上記の課題を解決するためになされたものであり、人の行動態様に応じて表示の点灯／不灯を制御することができる画像表示装置、画像表示方法、及びプログラムを提供することを目的とする。
【課題を解決するための手段】
【００１２】
上記目的を達成するため、本発明の第１の観点に係る画像表示装置は、人の行動態様に応じて、時間帯毎の表示の点灯／不灯を示す表示情報を設定するための設定手段と、前記設定手段により設定された表示情報に従って、表示の点灯／不灯を制御する制御手段と、を備えることを特徴とする。
【００１３】
上記画像表示装置は、周囲の音声に基づいて、人が存在しているか否かを検出する検出手段をさらに備え、前記制御手段は、前記検出手段によって人が存在していることを検出した場合、前記表示を点灯する制御を行う、ものであってもよい。
【００１４】
また、上記画像表示装置において、前記設定手段は、前記検出手段による検出の履歴に基づいて、前記表示を点灯／不灯する時間帯を判別して前記表示情報を設定する、ものであってもよい。
【００１５】
さらに、上記画像表示装置において、前記制御手段は、前記表示を点灯する場合、所定の間隔毎に静止画を順次表示する制御を行う、ものであってもよい。
【００１６】
そして、上記画像表示装置において、前記静止画は、外部記録媒体に記録された静止画である、ことが好ましい。
【００１７】
また、上記目的を達成するため、本発明の第２の観点に係る画像表示方法は、人の行動態様に応じて、時間帯毎の表示の点灯／不灯を示す表示情報を設定するための設定ステップと、前記設定ステップにより設定された表示情報に従って、表示の点灯／不灯を制御する制御ステップと、を備えることを特徴とする。
【００１８】
そして、上記目的を達成するため、本発明の第３の観点に係るプログラムは、コンピュータに、人の行動態様に応じて、時間帯毎の表示の点灯／不灯を示す表示情報を設定するための設定手順と、前記設定手順により設定された表示情報に従って、表示の点灯／不灯を制御する制御手順と、を実行させるためのものである。
【発明の効果】
【００１９】
本発明によれば、人の行動態様に応じて表示の点灯／不灯を制御することができる画像表示装置、画像表示方法、及びプログラムを提供することができる。
【図面の簡単な説明】
【００２０】
【図１】デジタルフォトフレーム装置の構成例を示すブロック図である。
【図２】電源シーケンスの一例を示す図である。
【図３】電源シーケンス設定処理の一例を示すフローチャートである。
【図４】電源シーケンス制御処理の一例を示すフローチャートである。
【発明を実施するための形態】
【００２１】
以下、本発明を実施するための形態について説明する。
【００２２】
まず、本実施形態に係るデジタルフォトフレーム（Digital Photo Frame；ＤＰＦ）装置の構成について、図面を参照しつつ説明する。
【００２３】
図１は、デジタルフォトフレーム装置の構成例を示すブロック図である。
【００２４】
デジタルフォトフレーム装置１は、デジタルカメラなどで撮影された写真を表示するとともに、電源の制御を、音声入力をモニターすることで行うようにしたもので、図１に示すように、電源部１０と、メモリカード挿入部２０と、表示部３０と、操作スイッチ（Switch；ＳＷ）４０と、マイクロフォン（Microphone；ＭＩＣ）５０と、電源シーケンスメモリ６０と、本体部７０と、から概略構成され、これらはバスなどを介して相互に接続されている。
【００２５】
電源部１０は、例えば電源コードを介して入力されるＡＣ（Alternating Current）電源を所定電圧のＤＣ（Direct Current）電源に変換して表示部３０に供給する。なお、電源部１０は、例えば、各種２次電池や乾電池などから所定電圧のＤＣ電源を表示部３０に供給するものであってもよい。
【００２６】
メモリカード挿入部２０は、メモリカードなどの外部記録媒体が挿入されるもので、その内部に挿入されたメモリカードを接続するためのメモリカードスロットを備えている。ここで、メモリカードは、例えばＳＳＦＤＣ（Solid-State Floppy Disk Card）と略称されるフラッシュＥＥＰＲＯＭ（Electrically Erasable and Programmable ROM）などから構成され、デジタルカメラなどで撮影された写真（静止画）の圧縮画像データを記録する。
【００２７】
表示部３０は、例えば液晶表示装置（Liquid Crystal Display；ＬＣＤ）などから構成され、電源部１０からの電源供給がオンである場合、メモリカード挿入部２０に挿入されたメモリカード内の圧縮画像データに基づく写真をその画面上に表示する一方で、電源供給がオフである場合、写真の表示を消す。なお、表示部３０の画面上に表示される写真は、所定間隔毎に順次切り換えて表示されるものであってもよい。
【００２８】
また、表示部３０の画面上には、電源シーケンスメモリ６０に格納されている電源シーケンス（オン／オフ表）が表示される。
【００２９】
操作スイッチ４０は、ユーザによって操作されるもので、例えば早送りサーチ釦や、再生及び停止釦、早戻しサーチ釦、ローテート（Rotate）釦、ディスプレイ（Display）釦などの釦や、十字キー、表示部３０の画面上に表示されるタッチパネルなどから構成される。操作スイッチ４０は、デジタルフォトフレーム装置１のユーザインタフェイス（User Interface；ＵＩ）として機能する。
【００３０】
ユーザは、操作スイッチ４０を操作することによって、例えば電源シーケンスメモリ６０に記憶された電源シーケンスの設定を自己の生活パターンに合わせて修正することができる。
【００３１】
マイクロフォン５０は、デジタルフォトフレーム装置１周辺の音声を入力して、音声信号を本体部７０に出力する。
【００３２】
電源シーケンスメモリ６０は、例えばＳＳＦＤＣと略称されるフラッシュＥＥＰＲＯＭなどから構成され、本体部７０で作成及び更新された電源シーケンスを格納する。
【００３３】
図２は、電源シーケンスの一例を示す図である。
【００３４】
電源シーケンスには、図２に示すように、電源をオンにするかオフにするかの推奨値が、所定期間（本実施形態では「一週間」）内における各時間帯毎（本実施形態では「一時間毎」）に設定される。なお、図２中、「＊」は、電源をオンにすることを推奨することを示し、「−」は、電源をオフにすることを推奨することを示している。
【００３５】
図１に示す本体部７０は、デジタルフォトフレーム装置１各部の動作を制御するもので、例えばＣＰＵ（Central Processing Unit）、ＲＯＭ（Read Only Memory）、ＲＡＭ（Random Access Memory）、及びＤＲＡＭ（Dynamic Random Access Memory）などから構成されている。
【００３６】
本体部７０は、メモリカード挿入部２０の内部に挿入されたメモリカードから圧縮画像データを読み込んで内蔵するＤＲＡＭに記録し、圧縮画像データに伸張処理を施して得られた画像データをＤＲＡＭに書き戻す。これにより、表示部３０の画面上には、画像データに基づく写真が表示される。
【００３７】
また、本体部７０のＲＡＭには、時間帯ポインタや、時間帯タイマ、修正済フラグ、表示中フラグなどが設けられている。
【００３８】
時間帯ポインタは、所定期間（本実施形態では「一週間」）を構成する複数の時間帯のうちのいずれかを指定するもので、新たな時間帯が開始される毎に、ポイント値が１インクリメントされて更新される。
【００３９】
具体的に、時間帯ポインタは、所定期間を構成する複数の時間帯のうち、最初の時間帯（月曜日の０〜１時の時間帯）の開始時（月曜日の０時０分０秒）に、ポインタ初期値「０」が設定され、次の時間帯（月曜日の１〜２時の時間帯）の開始時（月曜日の１時０分０秒）に、ポイント値が１インクリメントされて「１」に更新される。
【００４０】
そして、時間帯ポインタは、所定期間を構成する複数の時間帯のうち、最後の時間帯（日曜日の２３〜２４時の時間帯）の開始時（日曜日の２３時０分０秒）に、ポイント値が１インクリメントされてポインタ上限値である「１６７」に更新され、その終了時（最初の時間帯の開始時）に、ポインタ初期値「０」が再度設定される。
【００４１】
時間帯タイマは、所定の時間帯の開始時からの経過時間を計測するダウンカウンタである。
【００４２】
具体的に、時間帯タイマは、所定の時間帯の開始時に、所定の時間帯の長さ（本実施形態では「一時間」）に対応するタイマ値が、タイマ初期値として設定され、以後、定期的にカウントダウンされる。そして、タイマ値がタイマ最終値「０」になると、時間帯タイマには、タイマ初期値が再度設定される。
【００４３】
修正済フラグは、時間帯毎に複数（本実施形態では「１６８」個）設けられ、対応する時間帯での電源シーケンスの設定がユーザにより修正されたときに、オン状態にセットされる。
【００４４】
表示中フラグは、表示部３０の画面上において、電源シーケンスの表示が開始されるときに、オン状態にセットされる。
【００４５】
さらに、本体部７０のＲＯＭには、分析プログラム、判定プログラム、及びシーケンスプログラムなどが記憶されている。
【００４６】
本体部７０は、ＣＰＵがＲＡＭをワークメモリとして用いて分析プログラム、判定プログラム、及びシーケンスプログラムを実行することにより、分析機７１、判定機７２、及びシーケンス機７３として機能する。
【００４７】
分析機７１は、マイクロフォン５０から入力される音声信号を分析（演算）して、分析結果を判定機７２に出力する。
【００４８】
例えば、分析機７１は、マイクロフォン５０から供給される音声信号を所定フレーム単位で切り出し、所定フレーム単位の音声信号の平均値や尖塔値を求めたり、所定フレーム単位の音声信号からメル周波数ケプストラム係数（Mel-Frequency Cepstrum Coefficient；ＭＦＣＣ）を抽出したり、所定フレーム単位の音声信号を高速フーリエ変換（Fast Fourier Transform；ＦＦＴ）して周波数スペクトルを抽出したりする。
【００４９】
そして、分析機７１は、上記の分析方法のうちの一又は複数を行って得られた分析結果（平均値、尖塔値、メル周波数ケプストラム係数、及び周波数スペクトルのうちのいずれか一又は複数）を判定機７２に出力する。
【００５０】
判定機７２は、分析機７１から入力される分析結果に基づいて、周囲に人が存在しているか否かを検出する。そして、判定機７２は、この検出履歴に基づいて、電源シーケンスの作成及び更新を行う。具体的に、周囲に人が存在していることを検出した時間帯では、表示部３０の画面上に写真が表示されるように電源シーケンスを設定する一方で、検出しなかった時間帯では、写真の表示が消されるように設定する。
【００５１】
例えば、判定機７２は、分析機７１から入力される平均値（又は尖塔値）と所定の閾値とを比較し、所定の時間帯内（本実施形態では「一時間内」）において、所定の閾値を超えた平均値（又は尖塔値）の数をカウントする。続いて、判定機７２は、所定の時間帯内において、所定の閾値を超えた数が所定の上限値以上であれば、電源をオンにすることを推奨することを示す推奨値「＊」を電源シーケンスに設定する一方で、所定の上限値未満であれば、電源をオフにすることを推奨することを示す推奨値「−」を設定する。
【００５２】
そして、判定機７２は、かかる推奨値を所定期間（本実施形態では「一週間」）を一周期として順次設定していくことにより、電源シーケンスの作成及び更新を行う。
【００５３】
シーケンス機７３は、電源シーケンスメモリ６０に格納されている電源シーケンス（表示情報）に従って、電源部１０から表示部３０への電源供給のオン／オフを制御する。
【００５４】
具体的に、シーケンス機７３は、曜日及び時刻に対応する時間帯での設定値を電源シーケンスから読み出し、設定値が「＊」であれば、電源部１０から表示部３０への電源供給をオンに制御することにより、表示部３０を動作させて画面上に写真を表示させる一方で、設定値が「−」であれば、電源供給をオフに制御することにより、表示部３０の動作を停止して写真の表示を消す。
【００５５】
次に、上記構成を備えるデジタルフォトフレーム装置１の動作について図面を参照しつつ説明する。
【００５６】
デジタルフォトフレーム装置１は、電源シーケンス設定処理と、電源シーケンス制御処理と、を定期的に実行する。
【００５７】
図３は、電源シーケンス設定処理の一例を示すフローチャートである。
【００５８】
この電源シーケンス設定処理において、本体部７０では、分析機７１が、まず、図３に示すように、マイクロフォン５０から入力される音声信号を分析して、分析結果を判定機７２に出力する（ステップＳ１）。
【００５９】
次に、本体部７０は、時間帯タイマのタイマ値が「０」になったか否かを判別することにより、時間帯ポインタのポイント値が示す時間帯の終了タイミングであるか否かを判別する（ステップＳ２）。
【００６０】
ここで、ポイント値が示す時間帯の終了タイミングであれば（ステップＳ２；Ｙｅｓ）、本体部７０は、その時間帯に対応する修正済フラグがオン状態となっているか否かを判別する（ステップＳ３）。
【００６１】
ここで、修正済フラグがオフ状態であれば（ステップＳ３；Ｎｏ）、本体部７０では、判定機７２が、分析機７１から入力される分析結果に基づいて、時間帯ポインタのポイント値が示す時間帯において、デジタルフォトフレーム装置１の周囲に人が存在していたか否かを判別する（ステップＳ４）。
【００６２】
ここで、デジタルフォトフレーム装置１の周囲に人が存在していたと判別した場合には（ステップＳ４；Ｙｅｓ）、電源シーケンスメモリ６０に記憶されている電源シーケンスのうち、ポイント値が示す時間帯に対応する部分に、電源をオンにすることを推奨することを示す推奨値「＊」を設定する（ステップＳ５）。
【００６３】
これに対して、デジタルフォトフレーム装置１の周囲に人が存在していなかったと判別した場合には（ステップＳ４；Ｎｏ）、電源シーケンスのうち、ポイント値が示す時間帯に対応する部分に、電源をオフにすることを推奨することを示す推奨値「−」を設定する（ステップＳ６）。
【００６４】
ステップＳ３の処理にて修正済フラグがオン状態であると判別した場合や（ステップＳ３；Ｙｅｓ）、ステップＳ５又はＳ６の処理を実行した後には、時間帯ポインタのポイント値を１インクリメントして更新するとともに（ステップＳ７）、更新後のポイント値がポインタ上限値「１６７」よりも大きいか否かを判別する（ステップＳ８）。
【００６５】
ここで、本体部７０は、更新後のポイント値がポインタ上限値よりも大きければ（ステップＳ８；Ｙｅｓ）、時間帯ポインタにポインタ初期値「０」を設定する一方で（ステップＳ９）、更新後のポイント値がポインタ上限値以下であれば（ステップＳ８；Ｎｏ）、ステップＳ９の処理をスキップする。
【００６６】
そして、本体部７０は、時間帯タイマにタイマ初期値を設定して、タイマ値のカウントダウンを開始することにより、更新後の時間帯ポインタのポイント値が示す時間帯における経過時間の計測を開始する（ステップＳ１０）。
【００６７】
ステップＳ２の処理にてポイント値が示す時間帯の終了タイミングでないと判別した場合や（ステップＳ２；Ｎｏ）、ステップＳ１０の処理を実行した後には、表示中フラグがオン状態となっているか否かを判別する（ステップＳ１１）。
【００６８】
ここで、表示中フラグがオフ状態であれば（ステップＳ１１；Ｎｏ）、ユーザによる操作スイッチ４０の操作により、電源シーケンスメモリ６０に格納されている電源シーケンスの表示が指示されたか否かを判別する（ステップＳ１２）。
【００６９】
ここで、電源シーケンスの表示が指示されていないと判別した場合には（ステップＳ１２；Ｎｏ）、そのまま電源シーケンス設定処理を終了する。
【００７０】
これに対して、電源シーケンスの表示が指示されたと判別した場合には（ステップＳ１２；Ｙｅｓ）、電源シーケンスを表示部３０の画面上に表示するとともに（ステップＳ１３）、表示中フラグをオン状態にセットしてから（ステップＳ１４）、電源シーケンス設定処理を終了する。
【００７１】
ステップＳ１１の処理にて表示中フラグがオン状態であると判別した場合には（ステップＳ１１；Ｙｅｓ）、ユーザによる操作スイッチ４０の操作により、所定の時間帯における電源シーケンスの設定の修正が指示されたか否かを判別する（ステップＳ１５）。
【００７２】
ここで、電源シーケンスの設定の修正が指示されていないと判別した場合には（ステップＳ１５；Ｎｏ）、そのまま電源シーケンス設定処理を終了する。
【００７３】
これに対して、電源シーケンスの設定の修正が指示されたと判別した場合（ステップＳ１５；Ｙｅｓ）、本体部７０は、その指示に従って、電源シーケンスの設定を修正するとともに（ステップＳ１６）、修正した時間帯に対応する修正済フラグをオン状態にセットすることにより、修正した時間帯における電源シーケンスの設定が以後自動的に更新されないようにしてから（ステップＳ１７）、電源シーケンス設定処理を終了する。
【００７４】
図４は、電源シーケンス制御処理の一例を示すフローチャートである。
【００７５】
この電源シーケンス制御処理において、本体部７０では、シーケンス機７３が、まず、図４に示すように、時間帯タイマのタイマ値が初期値に合致しているか否かを判別することにより、時間帯ポインタのポイント値が示す時間帯の開始タイミングであるか否かを判別する（ステップＳ２１）。
【００７６】
ここで、ポイント値が示す時間帯の開始タイミングでなければ（ステップＳ２１；Ｎｏ）、本体部７０は、そのまま電源シーケンス制御処理を終了する。
【００７７】
これに対して、ポイント値が示す時間帯の開始タイミングであれば（ステップＳ２１；Ｙｅｓ）、本体部７０は、電源シーケンスメモリ６０に格納されている電源シーケンスから、ポイント値が示す時間帯での設定値を読み出す（ステップＳ２２）。
【００７８】
続いて、シーケンス機７３は、ステップＳ２２の処理にて読み出した設定値が「＊」であるか否かを判別する（ステップＳ２３）。
【００７９】
ここで、読み出した設定値が「＊」であれば（ステップＳ２３；Ｙｅｓ）、シーケンス機７３は、電源部１０から表示部３０への電源供給をオンに制御することにより、表示部３０を動作させて画面上に写真を表示する一方で（ステップＳ２４）、設定値が「−」であれば（ステップＳ２３；Ｎｏ）、電源供給をオフに制御することにより、表示部３０の動作を停止して写真の表示を消してから（ステップＳ２５）、電源シーケンス制御処理を終了する。
【００８０】
以上説明したように、本実施形態に係るデジタルフォトフレーム装置１によれば、マイクロフォン５０から入力される音声信号と、それを一又は複数の方法で分析した結果と、に基づいて、所定期間（本実施形態では「一週間」）のどの時間帯において表示部３０に電源供給をオンにして画面上に写真を表示させ、どの時間帯において電源供給をオフにして写真の表示を消すかを示す電源シーケンスを自動的に作成することができる。
【００８１】
このように、デジタルフォトフレーム装置１は、マイクロフォン５０から入力される音声信号を分析することによって作成した電源シーケンスを用いることで、ユーザが最初に電源シーケンスをゼロから設定して作成するといった面倒な作業をなくしつつ、ユーザの生活パターンにあった表示部３０への電源供給のオン／オフの制御を行うことができる。
【００８２】
この結果、デジタルフォトフレーム装置１は、人の行動態様に応じて、時間帯毎に写真の表示（点灯）／非表示（不灯）を制御することができる。具体的に、デジタルフォトフレーム装置１の周囲に人がいるときには、表示部３０を動作させて画面上に写真を表示する一方で、周囲に人がいないときには、表示部３０の動作を停止して画面上の写真を消すことができる。
【００８３】
このように、周囲に人がいないときには、画面上の写真を消すべく、表示部３０の動作が停止することで、デジタルフォトフレーム装置１の消費電力を低減することができるため、環境に優しいデジタルフォトフレーム装置１を実現することができる。
【００８４】
また、デジタルフォトフレーム装置１は、マイクロフォン５０から入力される音声信号を分析することによって電源シーケンスを作成することができるため、その表面にデジタルカメラなどのレンズ部分が設けられておらず、誰もが安心して使うことができる。
【００８５】
さらに、デジタルフォトフレーム装置１は、電源シーケンスの設定を所定期間毎（本実施形態では「一週間毎」）に順次更新していくことができるため、ユーザの生活パターンの変化に対応していくこともできる。
【００８６】
加えて、デジタルフォトフレーム装置１では、ユーザが操作スイッチ４０を操作して電源パターンの設定を細かい指示に至るまで積極的に修正していくこともできるので、例えば朝忙しいことから人が部屋にいるにも関わらず表示部３０の動作を停止して画面上に写真を表示させないといった設定をすることもできる。
【００８７】
さらに、デジタルフォトフレーム装置１は、電源シーケンスメモリ６０に格納されている電源シーケンスを表示部３０の画面上に表示することで、ユーザに自己の生活パターンを把握させることができるとともに、より設定しやすい電源シーケンスを作成することができる。
【００８８】
なお、本発明は、上記実施形態に限定されず、種々の変形、応用が可能である。以下、本発明に適用可能な上記実施形態の変形態様について、説明する。
【００８９】
上記実施形態において、本体部７０のＣＰＵが実行するプログラムは、予めＲＯＭなどに記憶されるものとして説明した。しかしながら、本発明は、これに限定されるものではなく、上述の処理を実行させるためのプログラムを、既存の汎用コンピュータに適用することで、上記実施形態に係る本体部７０として機能させてもよい。
【００９０】
また、このようなプログラムの提供方法は任意であり、例えばコンピュータが読取可能な記録媒体（例えばフレキシブルディスク（Flexible Disc；ＦＤ）や、ＭＯ（Magneto-Optical Disc）、ＵＳＢ（Universal Serial Bus）メモリ、ＣＤ−ＲＯＭ（Compact Disc Read Only Memory）、ＤＶＤ−ＲＯＭ（Digital Versatile Disc Read Only Memory）、ＢＤ−ＲＯＭ（Blu-ray Disc Read Only Memory）など）に格納して配布してもよいし、インターネット等のネットワーク上のストレージにプログラムを格納しておき、これをダウンロードさせることにより提供してもよい。
【００９１】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。
【００９２】
加えて、搬送波にプログラムを重畳し、ネットワークを介して配信することも可能である。例えば、ネットワーク上の掲示板（Bulletin Board System；ＢＢＳ）に上記プログラムを掲示し、ネットワークを介してプログラムを配信してもよい。
【００９３】
そして、このプログラムを起動し、ＯＳの制御下で、他のアプリケーションプログラムと同様に実行することにより、上記の処理を実行できるように構成してもよい。
【符号の説明】
【００９４】
１…デジタルフォトフレーム装置，１０…電源部，２０…メモリカード挿入部，３０…表示部，４０…操作スイッチ，５０…マイクロフォン，６０…電源シーケンスメモリ，７０…本体部，７１…分析機，７２…判定機，７３…シーケンス機
【図１】
2010286653.tif 000003
【図２】
2010286653.tif 000004
【図３】
2010286653.tif 000005
【図４】
2010286653.tif 000006